【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
複数のアンテナからの受信信号を受信する無線通信装置であって、
各アンテナからの受信信号を処理するブランチ毎にチャネル推定するチャネル推定手段と、
チャネル推定結果に基づいて各ブランチの合成比を決定し、各受信信号を重み付けして合成する合成手段と、
合成された信号を復調する復調手段とを備え、
前記チャネル推定手段はチャネル推定を更新し、前記合成手段はチャネル推定の更新に追従して各ブランチの合成比を変化させる、
ことを特徴とする無線通信装置。
【請求項２】
前記チャネル推定手段は、ブランチ毎にチャネル推定を更新する、
ことを特徴とする請求項１に記載の無線通信装置。
【請求項３】
前記復調手段は、合成された信号の復調信号を再変調し、
前記チャネル推定手段は、再変調信号と各アンテナからの受信信号の比較に基づいてチャネル推定を更新する、
ことを特徴とする請求項１に記載の無線通信装置。
【請求項４】
ベースバンドＩＱ信号を合成して受信する無線通信装置であって、
前記チャネル推定部は、ベースバンドＩＱ信号のデータ・シンボルを用いたチャネル推定値の更新を行ない、
前記合成手段はチャネル推定の更新に追従して各ブランチの合成比を変化させる、
ことを特徴とする請求項１に記載の無線通信装置。
【請求項５】
ベースバンドＯＦＤＭ信号をサブキャリヤ毎にアンテナ合成して受信する無線通信装置であって、
前記チャネル推定部は、ベースバンド信号のデータＯＦＤＭシンボルを用いたチャネル推定値の更新を行ない、
前記合成手段はチャネル推定の更新に追従してサブキャリヤ毎の各ブランチの合成比を変化させる、
ことを特徴とする請求項１に記載の無線通信装置。
【請求項６】
前記復調手段は、合成された信号の復調信号を再変調し、
前記チャネル推定手段は、再変調信号と各アンテナからのＯＦＤＭ受信信号をサブキャリヤ毎に比較してチャネル推定を更新する、
ことを特徴とする請求項５に記載の無線通信装置。
【請求項７】
複数のアンテナからの受信信号を選択又は合成してダイバーシティ受信やＭＩＭＯ受信する無線通信装置であって、
各アンテナからの受信信号を処理するブランチ毎にプリアンブル信号の自己相関をとる自己相関手段と、
各ブランチの自己相関を合成する手段と、
各ブランチの自己相関を合成した信号を基に信号を発見し同期を獲得する同期手段と、
獲得された同期に基づいて各受信信号を処理する受信処理手段と、
を具備することを特徴とする無線通信装置。
【請求項８】
複数のアンテナからの受信信号を選択又は合成してダイバーシティ受信やＭＩＭＯ受信する無線通信装置であって、
各アンテナからの受信信号を処理するブランチ毎にプリアンブル信号の自己相関をとる自己相関手段と、
各ブランチの自己相関を合成する手段と、
各ブランチの自己相関を合成した信号を基に周波数誤差を推定する周波数誤差推定手段と、
推定された周波数誤差に基づいて各受信信号の周波数誤差を補正する周波数誤差補正手段と、
周波数誤差が補正された各受信信号を処理する受信処理手段と、
を具備することを特徴とする無線通信装置。
【請求項９】
前記同期手段は、１つのブランチにおいて各ブランチにおける自己相関信号を加えた合成自己相関信号を基に同期を獲得し、他の各ブランチへ同期を供給する、
ことを特徴とする請求項７に記載の無線通信装置。
【請求項１０】
前記周波数誤差補正手段は、１つのブランチにおいて各ブランチにおける自己相関信号を加えた合成自己相関信号を基に周波数誤差を求め、他の各ブランチへ周波数誤差を供給する、
ことを特徴とする請求項７に記載の無線通信装置。
【請求項１１】
複数のアンテナからの受信信号を選択又は合成してダイバーシティ受信やＭＩＭＯ受信する無線通信装置であって、
各アンテナからの受信信号を処理するブランチ毎にプリアンブル信号の自己相関をとる自己相関手段と、
各ブランチの自己相関を外部出力する手段と、
外部出力先において、各ブランチの自己相関を合成した信号を基に獲得された同期又は周波数誤差を入力する手段と、
該入力された同期に基づいて各受信信号の同期をとり、又は周波数誤差に基づいて各受信信号の周波数誤差を補正する手段と、
周波数誤差が補正された各受信信号を処理する受信処理手段と、
を具備することを特徴とする無線通信装置。
【請求項１２】
複数のアンテナからの受信信号を選択又は合成してダイバーシティ受信やＭＩＭＯ受信する無線通信装置のための同期装置であって、
各アンテナからの受信信号を処理するブランチ毎にプリアンブル信号から得られた自己相関を入力する手段と、
各ブランチの自己相関を合成した信号を基に、信号を発見して同期を獲得し、又は周波数誤差を推定する手段と、
得られた同期又は周波数誤差を出力する手段と、
を具備することを特徴とする同期装置。
【請求項１３】
複数のアンテナからの受信信号を選択又は合成してダイバーシティ受信やＭＩＭＯ受信する無線通信装置であって、
請求項１２に記載の同期回路を備える、
ことを特徴とする無線通信装置。
【請求項１４】
複数のアンテナからの受信信号を受信する無線通信方法であって、
各アンテナからの受信信号を処理するブランチ毎にチャネル推定するチャネル推定ステップと、
チャネル推定結果に基づいて各ブランチの合成比を決定し、各受信信号を重み付けして合成する合成ステップと、
合成された信号を復調する復調ステップとを備え、
前記チャネル推定ステップではチャネル推定を更新し、前記合成ステップではチャネル推定の更新に追従して各ブランチの合成比を変化させる、
ことを特徴とする無線通信方法。
【請求項１５】
複数のアンテナからの受信信号を選択又は合成してダイバーシティ受信やＭＩＭＯ受信する無線通信方法であって、
各アンテナからの受信信号を処理するブランチ毎にプリアンブル信号の自己相関をとる自己相関ステップと、
各ブランチの自己相関を合成するステップと、
各ブランチの自己相関を合成した信号を基に信号を発見し同期を獲得する同期ステップと、
獲得された同期に基づいて各受信信号を処理する受信処理ステップと、
を具備することを特徴とする無線通信方法。
【請求項１６】
複数のアンテナからの受信信号を選択又は合成してダイバーシティ受信やＭＩＭＯ受信する無線通信方法であって、
各アンテナからの受信信号を処理するブランチ毎にプリアンブル信号の自己相関をとる自己相関ステップと、
各ブランチの自己相関を合成するステップと、
各ブランチの自己相関を合成した信号を基に周波数誤差を推定する周波数誤差推定ステップと、
推定された周波数誤差に基づいて各受信信号の周波数誤差を補正する周波数誤差補正ステップと、
周波数誤差が補正された各受信信号を処理する受信処理ステップと、
を具備することを特徴とする無線通信方法。
【請求項１７】
複数のアンテナからの受信信号を受信するための処理をコンピュータ上で実行するようにコンピュータ可読形式で記述されたコンピュータ・プログラムであって、前記コンピュータに対し、
各アンテナからの受信信号を処理するブランチ毎にチャネル推定するチャネル推定手順と、
チャネル推定結果に基づいて各ブランチの合成比を決定し、各受信信号を重み付けして合成する合成手順と、
合成された信号を復調する復調手順を実行させ、
前記チャネル推定手順ではチャネル推定を更新し、前記合成手順ではチャネル推定の更新に追従して各ブランチの合成比を変化させる、
ことを特徴とするコンピュータ・プログラム。
【請求項１８】
複数のアンテナからの受信信号を選択又は合成してダイバーシティ受信やＭＩＭＯ受信するための処理をコンピュータ上で実行するようにコンピュータ可読形式で記述されたコンピュータ・プログラムであって、前記コンピュータに対し、
各アンテナからの受信信号を処理するブランチ毎にプリアンブル信号の自己相関をとる自己相関手順と、
各ブランチの自己相関を合成する手順と、
各ブランチの自己相関を合成した信号を基に信号を発見し同期を獲得する同期手順と、
獲得された同期に基づいて各受信信号を処理する受信処理手順と、
を実行させることを特徴とするコンピュータ・プログラム。
【請求項１９】
複数のアンテナからの受信信号を選択又は合成してダイバーシティ受信やＭＩＭＯ受信するための処理をコンピュータム上で実行するようにコンピュータ可読形式で記述されたコンピュータ・プログラムであって、前記コンピュータに対し、
各アンテナからの受信信号を処理するブランチ毎にプリアンブル信号の自己相関をとる自己相関手順と、
各ブランチの自己相関を合成する手順と、
各ブランチの自己相関を合成した信号を基に周波数誤差を推定する周波数誤差推定手順と、
推定された周波数誤差に基づいて各受信信号の周波数誤差を補正する周波数誤差補正手順と、
周波数誤差が補正された各受信信号を処理する受信処理手順と、
を実行させることを特徴とするコンピュータ・プログラム。